(57)【特許請求の範囲】
【請求項１】
複数の第一板紙と複数の第二板紙とが段ボール箱に収納され、
前記段ボール箱から取り出された前記第一板紙が筒状に折り込まれて柱部材が形成され、
前記段ボール箱から取り出された前記第二板紙が折り込まれて支持部材が形成され、
前記第一板紙と前記第二板紙とが取り出された前記段ボール箱が展開されて一枚の壁部材が形成され、
この壁部材の両面が一対の前記柱部材に挟まれて前記壁部材が立たせられ、前記壁部材を挟んだ一対の前記柱部材の両端が前記支持部材に支持されて前記柱部材が立たせられた、
ことを特徴とする段ボール箱を用いた間仕切り構造。
【請求項２】
前記壁部材の一側端と他側端とが縫合されて前記段ボール箱の閉塞した側面が形成された、
ことを特徴とする請求項１に記載の段ボール箱を用いた間仕切り構造。
【請求項３】
一枚の板紙から形成されて前記壁部材と他の前記壁部材とを連結させる連結板紙が前記段ボール箱に収納され、
前記壁部材の一側端が、この一側端に連ねられた一側片との繋ぎ目に形成された一側切欠き部を有し、
前記壁部材の他側端が、この他側端の一部に形成された他側切欠き部を有し、
前記連結板紙に、前記一側切欠き部に取り付けられる一側係止部材と、前記他側切欠き部に取り付けられる他側係止部材と、が備えられた、
ことを特徴とする請求項１または請求項２に記載の段ボール箱を用いた間仕切り構造。
【請求項４】
前記一対の柱部材の間に、前記壁部材のうち前記段ボール箱の側面同士の折り目であった折り目部が配置された、
ことを特徴とする請求項１から請求項３のいずれか１項に記載の段ボール箱を用いた間仕切り構造。
【請求項５】
長手の筒状に折り込まれて柱部材となる複数の第一板紙と、折り込まれて支持部材となる複数の第二板紙と、が収納され、
側面同士を対面させた一対の前記柱部材の両端が前記支持部材によって支持されることで立たせられた一対の前記柱部材の間に挟まれる壁部材に展開される、
ことを特徴とする間仕切り構造に用いられる段ボール箱。
【発明の詳細な説明】
【技術分野】
【０００１】
本発明は、段ボール箱を用いた間仕切り構造、および間仕切りに構造に用いられる段ボール箱に関するものである。
【背景技術】
【０００２】
従来、間仕切り構造は室内の空間を仕切るための簡易な壁として用いられている。特に、災害に見舞われた地域では、災害により家を失った被災者が、例えば体育館などの広い屋内施設に集められて共同生活を余儀なくされる場合がある。そこで、共同生活における被災者のプライバシーを保護するために、段ボールで構成された簡易な間仕切り構造が用いられている。
【０００３】
このような簡易な間仕切り構造として、下記特許文献１に記載の段ボール間仕切りが提案されている。このダンボール間仕切りは一枚の段ボール板であり、二つに折り曲げられて地面に立てられ、壁部として用いられる。
【先行技術文献】
【特許文献】
【０００４】
【特許文献１】特開２０１０−２５５２３８号公報
【発明の概要】
【発明が解決しようとする課題】
【０００５】
しかし、上記した段ボール間仕切りをはじめ、災害に見舞われた地域への支援物資の多くが輸送用の段ボールで梱包されているため、梱包に用いられた輸送用の段ボールは用途が果てるとゴミとなる。上記した段ボール間仕切りと輸送用の段ボールとが同じ素材でありながら、それぞれ異なる用途に限定して用いられることは有用ではない。
【０００６】
本発明は、上記の実情に鑑みて提案されたものである。すなわち、物資の輸送と間仕切りとに用いることができる有用な段ボール箱を用いた間仕切り構造、および間仕切りに構造に用いられる段ボール箱の提供を目的とする。
【課題を解決するための手段】
【０００７】
上記目的を達成するために、本発明に係る段ボール箱を用いた間仕切り構造は、複数の第一板紙と複数の第二板紙とが段ボール箱に収納され、前記段ボール箱から取り出された前記第一板紙が筒状に折り込まれて柱部材が形成され、前記段ボール箱から取り出された前記第二板紙が折り込まれて支持部材が形成され、前記第一板紙と前記第二板紙とが取り出された前記段ボール箱が展開されて一枚の壁部材が形成され、この壁部材の両面が一対の前記柱部材に挟まれて前記壁部材が立たせられ、前記壁部材を挟んだ一対の前記柱部材の両端が前記支持部材に支持されて前記柱部材が立たせられた、ことを特徴としている。
【０００８】
本発明に係る段ボール箱を用いた間仕切り構造は、前記壁部材の一側端と他側端とが縫合されて前記段ボール箱の閉塞した側面が形成された、ことを特徴としている。
【０００９】
本発明に係る段ボール箱を用いた間仕切り構造は、一枚の板紙から形成されて前記壁部材と他の前記壁部材とを連結させる連結板紙が前記段ボール箱に収納され、前記壁部材の一側端が、この一側端に連ねられた一側片との繋ぎ目に形成された一側切欠き部を有し、前記壁部材の他側端が、この他側端の一部に形成された他側切欠き部を有し、前記連結板紙に、前記一側切欠き部に取り付けられる一側係止部材と、前記他側切欠き部に取り付けられる他側係止部材と、が備えられた、ことを特徴としている。
【００１０】
本発明に係る段ボール箱を用いた間仕切り構造は、前記一対の柱部材の間に、前記壁部材のうち前記段ボール箱の側面同士の折り目であった折り目部が配置された、ことを特徴としている。
【００１１】
本発明に係る間仕切り構造に用いられる段ボール箱は、長手の筒状に折り込まれて柱部材となる複数の第一板紙と、折り込まれて支持部材となる複数の第二板紙と、が収納され、側面同士を対面させた一対の前記柱部材の両端が前記支持部材によって支持されることで立たせられた一対の前記柱部材の間に挟まれる壁部材に展開される、ことを特徴としている。
【発明の効果】
【００１２】
本発明に係る段ボール箱を用いた間仕切り構造、および間仕切り構造に用いられる段ボール箱は上記した構成である。この構成によれば、物資が梱包された段ボール箱が展開されて間仕切り構造の壁部材として用いられる。したがって、段ボール箱を物資の輸送と間仕切りとに用いることができ、有用である。
【００１３】
本発明に係る段ボール箱を用いた間仕切り構造は、壁部材の一側端と他側端とが縫合されて段ボール箱の閉塞した側面が形成されている。この構成によれば、壁部材を形成する段ボール箱の側面は、一側端と他側端とが縫合されて形成されているため、縫合された部分を解くことで破けることなく段ボール箱が容易に展開される。したがって、間仕切りを容易に組み立てることができる。
【００１４】
本発明に係る段ボール箱を用いた間仕切り構造は、一枚の板紙から形成されて壁部材と他の壁部材とを連結させる連結板紙が段ボール箱に収納され、壁部材の一側端が、この一側端に連ねられた一側片との繋ぎ目に形成された一側切欠き部を有し、壁部材の他側端が、この他側端の一部に形成された他側切欠き部を有し、連結板紙に、一側切欠き部に取り付けられる一側係止部材と、他側切欠き部に取り付けられる他側係止部材と、が備えられている。この構成によれば、連結板紙によって壁部材の一側端と他の壁部材の他側端とが連結される。したがって、様々な広さの間仕切りを組み立てることができる。
【００１５】
本発明に係る段ボール箱を用いた間仕切り構造は、一対の柱部材の間に、壁部材のうち段ボール箱の側面同士の折り目であった折り目部が配置されている。この構成によれば、段ボール箱の折り目であった折り目部が柱部材によって両面から挟まれる。したがって、壁部材が立てられる際、折り目部によって折れるのを柱部材によって防ぐことができる。
【図面の簡単な説明】
【００１６】
【図１】本発明の実施形態に係る段ボール箱を用いた間仕切り構造を組み立てる前の状態を示すと共に、本発明の実施形態に係る間仕切り構造として用いられる段ボール箱の外観を示した外観斜視図である。
【図２】本発明の実施形態に係る段ボール箱を用いた間仕切り構造の壁部材を示した外観図である。
【図３】本発明の実施形態に係る段ボール箱を用いた間仕切り構造の第一板紙を示した外観図である。
【図４】本発明の実施形態に係る段ボール箱を用いた間仕切り構造の第一板紙の折り込み過程と柱部材とを示した外観斜視図である。
【図５】本発明の実施形態に係る段ボール箱を用いた間仕切り構造の第二板紙を示した外観図である。
【図６】本発明の実施形態に係る段ボール箱を用いた間仕切り構造の第二板紙の折り込み過程と支持部材とを示した外観斜視図である。
【図７】本発明の実施形態に係る段ボール箱を用いた間仕切り構造の連結板紙の外観を示した外観斜視図である。
【図８】本発明の実施形態に係る段ボール箱を用いた間仕切り構造の分解斜視図である。
【図９】本発明の実施形態に係る段ボール箱を用いた間仕切り構造を組み立てた状態を示した外観斜視図である。
【図１０】本発明の実施形態に係る段ボール箱を用いた間仕切り構造の組み立て例を示し、（ａ）が六畳の組み立て例の概略平面図、（ｂ）が四畳半の組み立て例の概略平面図である。
【発明を実施するための形態】
【００１７】
以下に、本発明の実施形態を図面に基づいて説明する。
【００１８】
＜間仕切り構造＞
図９において、本実施形態に係る段ボール箱を用いた間仕切り構造、および間仕切り構造に用いられる段ボール箱（以下、「間仕切り構造１」と記す。）は、間仕切り構造１の壁となる壁部材１１、壁部材１１を支える柱部材２１、柱部材２１を支持する支持部材３１、壁部材１１同士を連結する連結板紙４０、から構成されている。間仕切り構造１は、壁部材１１が展開された段ボール箱１０であり、柱部材２１が第一板紙２０であり、柱部材３１が第二板紙３０である（図１参照）。
【００１９】
＜段ボール箱：壁部材＞
図１において、段ボール箱１０は、箱底面部６、箱平面部７、および箱側面部８から構成された直方体であり、各板紙２０および４０が折り畳まれて、第二板材３０と物資２と共に収納されている。収納された各板紙２０、３０、および４０の枚数は、例えば、第一板紙２０が六枚、第二板紙３０が六枚、および連結板紙４０が一枚である。段ボール箱１０は展開されて壁部材１１となる（図２参照）。なお、段ボール箱１０に収納された各板紙２０、３０、および４０の枚数は適宜変更される。
【００２０】
図２において、壁部材１１は一枚の長手の板紙であり、段ボール１０の箱底面部６を構成する四枚の下方壁面部１２、箱平面部７を構成する四枚の上方壁面部１３、および箱側面部８を構成する中央壁面部１４、から構成されている。中央壁面部１４は長手であり、長辺である下端に下方壁面部１２が連ねられ、長辺である上端に上方壁面部１３が連ねられている。中央壁面部１４は、長辺方向に折り曲げられて四つの箱側面部８に区分する折り目部３が形成されている。下方壁面部１２同士、および上方壁面部１３同士の間は隙間４が空いている。
【００２１】
壁部材１１は、一側の短辺である一側端に一対の一側切欠き部１６が形成され、他側の短辺である他側端に一対の他側切欠き部１７が形成されている。詳説すれば、壁部材１１の一側端のうち中央壁面部１４の端に一側片としての縫合代片１５が形成され、一側切欠き部１６は、一側端のうち中央壁面部１４の端と縫合代片１５との繋ぎ目で、縫合代片１５の両端に形成されている。一方、他側切欠き部１７は、他側端のうち上方壁面部１３および下方壁面部１２の端に形成されている。他側切欠き部１７によって他側端の一部に縫合部１８が形成されている。
【００２２】
縫合代片１５と縫合部１８とは、ほぼ同じ長さであり、壁部材１１の一側端と他側端とが突き合せられて糸５で縫合される際に重ねられる。一側端と他側端とは縫合代片１５と縫合部１８とを介して糸５で縫合されて、上記した段ボール箱１０の閉塞した箱側面部８が形成される（図１参照）。
【００２３】
＜第一板紙：柱部材＞
図３において、第一板紙２０は一枚の長手の板紙であり、長さが壁部材１１の短辺とほぼ同一である（図９参照）。第一板紙２０は長辺方向に折り目が形成され、この折り目によって中央の柱中央面部２２、この柱中央面部２２の一側端に連ねられた柱係止面部２３、柱中央面部２２の他側端に連ねられた柱折り込み面部２４に区分され、さらに柱中央面部２２が長辺方向に二分されている。柱中央面部２２は、この柱中央面部２２を二分する折り目に沿って第一板紙２０の両短辺寄りに被支持孔２５が形成されている。
【００２４】
柱係止面部２３は複数の柱係止孔２６が形成され、柱係止孔２６が第一板紙２０の長辺方向に並んでいる。柱係止孔２６はほぼ台形に形成され、柱係止面部２３の端側よりも柱中央面部２２側が大きい。
【００２５】
柱折り込み面部２４は、フラップ可能なほぼ台形の複数の柱係止片２７が端に連ねられ、柱係止片２７が長辺方向において柱係止孔２６と同じ位置に揃えられている。柱係止片２７はほぼ台形に形成され、柱折り込み面部２４と連ねられた側よりも自由端側が大きい。
【００２６】
図４において、第一板紙２０は、柱中央面部２２を中心に柱係止面部２３および柱折り込み面部２４が筒状に折り込まれてほぼ三角柱状の柱部材２１となる。詳説すれば、柱中央面部２２を二つに折ると共に、柱係止面部２３を折り込み、その上から柱折り込み面部２４を折り込んで重ねる。柱係止片２７を柱係止孔２６に挿入して係止する。
【００２７】
＜第二板紙：支持部材＞
図５において、第二板紙３０は一枚の長手の板紙である。第二板紙３０は短辺方向に折り目が形成され、この折り目によって中央の支持中央面部３２、この支持中央面部３２の両端に連ねられた支持起立面部３３、この両支持起立面部３３の端に連ねられた支持係止面部３４、およびこの両支持係止面部３４の端に連ねられた支持折り込み面部３５、に区分されている。
【００２８】
支持中央面部３２は、第二板紙３０の長辺寄りにほぼコ字状（ほぼ台形）の切り込みが形成され、この切り込みにより支持起立面部３３側にフラップ可能なほぼ台形の支持係止片３６が形成されている。支持係止片３６は、支持中央面部３２と連ねられた側よりも自由端側が大きい。
【００２９】
支持係止面部３４はほぼ中央にほぼ三角形の柱支持孔３７が形成され、柱支持孔３７の頂点が支持係止端３９であり底辺が支持弁５０である。支持弁５０は支持係止面部３４から切り離された一部であり、折り目を介さずに支持折り込み面部３５に連ねられている。支持係止面部３４は、支持折り込み面部３５との境界を一辺とするほぼ台形の支持係止孔３８が形成され、支持係止孔３８が短辺方向において支持係止片３６と同じ位置に揃えられている。支持係止孔３８は、支持折り込み面部３５との境界側よりも支持起立面部３３側が大きい。
【００３０】
図６において、第二板紙３０は、支持中央面部３２を中心に両端の支持折り込み面部３５から順に折り込まれて支持部材３１となる。詳説すれば、支持折り込み面部３５を支持係止面部３４側に折り込み、支持係止面部３４を支持起立面部３３側に折り込み、支持起立面部３３を支持中央面部３２に対してほぼ直角に立たせると共に、支持折り込み面部３５を支持中央面部３２に重ねる。支持折り込み面部３５を折り込むことで支持弁５０が支持係止孔３８（支持係止面部３４）から外れ、支持折り込み面部３５と共に支持中央面部３２に重なる。支持弁５０同士を支持中央面部３２の上で突き合せ、支持係止片３６を支持係止孔３８に挿入して係止する。
【００３１】
＜連結板紙＞
図７において、連結板紙４０は一枚の長手の板紙であり、長さが壁部材１１の短辺とほぼ同一である（図９参照）。連結板紙４０はこの連結板紙４０を二分する折り目が長辺方向に形成されている。二分された連結板紙４０の一側および他側のそれぞれは、長辺方向に間を空けて二つの孔が形成されている。この孔を介して、連結板紙４０は一側のほぼ中央に一側係止部材４１が取り付けられ、他側のほぼ中央に他側係止材部４２が取り付けられている。一側係止部材４１は壁部材１１の一側端に形成された一側切欠き部１６に取り付けられ、一方、他側係止部材４２は壁部材１１の他側端に形成された他側切欠き部１７に取り付けられる。
【００３２】
一側係止部材４１および他側係止部材４２は、例えば、帯状の面ファスナ、紐などであり、連結板紙４０の一側および他側のほぼ中央に孔を介して長辺方向に巻き付けられている。一側係止部材４１の長さは、他側係止部材４２よりも短く、壁部材１１の一側切欠き部１６間に巻き付けられる長さであり、一方、他側係止部材４２の長さは、壁部材１１の他側切欠き部１７間に巻き付けられる長さである。
【００３３】
以上のようにして形成された壁部材１１、柱部材２１、および支持部材３１を組み立てる。図８および図９において、一対の柱部材２１で壁部材１１を挟む。その際、柱部材２１の側面（柱係止面部２３、柱折り込み面部２４）同士を対面させ、その間に壁部材１１の折り目部３と隙間４とを配置する。なお、図８および図９では例として柱部材２１が一つの折り目３と隙間４とに配置されている。間仕切り構造１で仕切る空間の広さに応じて壁部材１１の長さを調節する場合は壁部材１１を折り目部３で折るため、柱部材２１間に折り目部３を配置しない。
【００３４】
壁部材１１を挟んだ一対の柱部材２１を、一対の支持部材３１で支持する。詳説すれば、柱部材２１の端を支持部材３１の柱支持孔３７に挿入すると共に、柱部材２１の柱係止孔２６を支持部材３１の支持係止端３９に係止する。
【００３５】
複数の壁部材１１を用意して連結する。詳説すれば、壁部材１１の一側端に連結板紙４０の一側を重ね、一側切欠き部１６に一側係止部材４１を巻き付け、他の壁部材１１の他側に連結板紙４０の他側を重ね、他側切欠き部１７に他側係止部材４２を巻きつける。
【００３６】
例えば、段ボール箱１０を十六箱用意し、十六組の間仕切り構造１を組み立てて図１０のとおりに連結して空間を作る。四枚の間仕切り構造１で仕切られた空間はほぼ六畳であり（図１０（ａ）参照）、壁部材１１の一部の折り目部３を折った空間はほぼ四畳半である（図１０（ｂ）参照）。
【００３７】
以上のようにして間仕切り構造１が形成される。
【００３８】
次に、本実施形態の効果を説明する。
【００３９】
上記したように、本実施形態によれば、間仕切り構造１の壁となる壁部材１１、壁部材１１を支える柱部材２１、柱部材２１を支持する支持部材３１、壁部材１１同士を連結する連結板紙４０、から構成され、壁部材１１が展開された段ボール箱１０であり、柱部材２１が第一板紙２０であり、柱部材３１が第二板紙３０である。段ボール箱１０は、各板紙２０および４０が折り畳まれて第二板材３０と物資２と共に収納され、展開されて壁部材１１となる。
【００４０】
この構成によれば、物資２が梱包された段ボール箱１０が展開されて間仕切り構造１の壁部材１１として用いられる。したがって、段ボール箱１０を物資２の輸送と間仕切りとに用いることができ、有用である。
【００４１】
本実施形態によれば、一対の柱部材２１で壁部材１１を挟む際、柱部材２１の側面（柱係止面部２３、柱折り込み面部２４）間に壁部材１１の折り目部３と隙間４とを配置する。この構成によれば、段ボール箱１０の折り目部３が柱部材２１によって両面から挟まれる。したがって、壁部材１１が立てられる際、折り目部３によって折れるのを柱部材２１によって防ぐことができる。
【００４２】
本実施形態によれば、壁部材１１は、壁部材１１の一側端のうち中央壁面部１４の端に縫合代片１５が形成され、一側切欠き部１６が一側端のうち中央壁面部１４の端と縫合代片１５との繋ぎ目で、縫合代片１５の両端に形成されている。一方、他側切欠き部１７は、他側端のうち上方壁面部１３および下方壁面部１２の端に形成されている。他側切欠き部１７によって他側端の一部に縫合部１８が形成されている。縫合代片１５と縫合部１８とは、壁部材１１の一側端と他側端とが突き合せられて糸５で縫合される際に重ねられ、糸５で縫合されて段ボール箱１０の閉塞された箱側面部８が形成される。
【００４３】
この構成によれば、壁部材１１を形成する段ボール箱１０の箱側面部８は、一側端と他側端とが糸５で縫合されて形成されているため、糸５が切られることで破けることなく段ボール箱１０が容易に展開される。したがって、間仕切り構造１を容易に組み立てることができる。
【００４４】
連結板紙４０は、一側のほぼ中央に一側係止部材４１が取り付けられ、他側のほぼ中央に他側係止材部４２が取り付けられている。一側係止部材４１は壁部材１１の一側端に形成された一側切欠き部１６に取り付けられ、一方、他側係止部材４２は壁部材１１の他側端に形成された他側切欠き部１７に取り付けられる。この構成によれば、連結板紙４０によって壁部材１１の一側端と他の壁部材の他側端とが連結される。したがって、様々な広さの間仕切りを組み立てることができる。
【００４５】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４６】
１                  段ボール箱を用いた間仕切り構造
２                  物資
３                  折り目部
４                  隙間
５                  糸
６                  箱底面部
７                  箱平面部
８                  箱側面部（段ボール箱の側面）
１０                段ボール箱
１１                壁部材
１２                上方壁面部
１３                下方壁面部
１４                中央壁面部
１５                縫合代片（一側片）
１６                一側切欠き部
１７                他側切欠き部
１８                縫合部
２０                第一板紙
２１                柱部材
２２                柱中央面部
２３                柱係止面部
２４                柱折り込み面部
２５                被支持孔
２６                柱係止孔
２７                柱係止片
３０                第二板紙
３１                支持部材
３２                支持中央面部
３３                支持起立面部
３４                支持係止面部
３５                支持折り込み面部
３６                支持係止片
３７                柱支持孔
３８                支持係止孔
３９                支持係止端
４０                連結板紙
４１                一側係止部材
４２                他側係止部材
５０                支持弁
【要約】
【課題】物資の輸送と間仕切りとに用いることができる有用な段ボール箱を用いた間仕切り構造、および間仕切り構造に用いられる段ボール箱を提供する。
【解決手段】複数の第一板紙２０、複数の第二板紙３０、連結板紙４０が段ボール箱１０に収納される。段ボール箱１０から取り出した第一板紙２０を筒状に折り込んで柱部材を形成し、第二板紙３０を折り込んで支持部材を形成し、段ボール箱１０を展開して一枚の壁部材を形成する。両面を一対の柱部材で挟んで壁部材を立たせ、壁部材を挟んだ一対の柱部材の両端を支持部材で支持して立たせ、壁部材と他の壁部材とを連結板紙４０で連結して段ボール箱を用いた間仕切り構造を組み立てる。
【選択図】図１【図１】
0005510759.tif 000002
【図２】
0005510759.tif 000003
【図３】
0005510759.tif 000004
【図４】
0005510759.tif 000005
【図５】
0005510759.tif 000006
【図６】
0005510759.tif 000007
【図７】
0005510759.tif 000008
【図８】
0005510759.tif 000009
【図９】
0005510759.tif 000010
【図１０】
0005510759.tif 000011